(57)【要約】      （修正有）【課題】医師が使用するヘッドライトにおいて、光源をオフにして照明装置を視界から退避させる際に行うべき操作を簡便にできる照明装置を提供する。【解決手段】光源１０を保持する筐体２０を可動状態にて支持する支持機構３０を備え、筐体２０が、物理的な変位によって光源による照明をオン／オフするスイッチ２１を備えるとともに、支持機構３０が、筐体の動きに応じてスイッチを変位させる操作部３２を備える。筐体を動かすことによって、照明装置１００を視界から退避させ、このとき、筐体の動きに応じて、操作部３２がスイッチを変位させることにより、光源による照明をオフとすることができる。光源をオフにして照明装置を視界から退避させる際に、筐体１０を動かす操作だけをすればよく、スイッチを操作する必要がない。【選択図】図１
0003214601.tif 000002
【実用新案登録請求の範囲】
【請求項１】
前方を照明する光源と、
上記光源を保持する筐体と、
上記筐体を可動状態にて支持する支持機構とを備え、
上記筐体は、物理的な変位によって上記光源による照明をオン／オフするスイッチを備え、
上記支持機構は、上記筐体の動きに応じて上記スイッチを変位させる操作部を備えたことを特徴とする照明装置。
【請求項２】
上記支持機構は、上記光源による照射方向に垂直な回転軸を中心として上記筐体を回動可能に支持することを特徴とする請求項１に記載の照明装置。
【請求項３】
上記支持機構は、上記光源による照射方向に垂直または平行な軸に沿って上下方向、左右方向あるいは前後方向に上記筐体を平行移動可能に支持することを特徴とする請求項１に記載の照明装置。
【請求項４】
上記スイッチは、上記筐体の中で上記回転軸の軸受に比較的近い位置に設けられることを特徴とする請求項２に記載の照明装置。
【請求項５】
上記操作部は、上記筐体が所定のポジションにあるときに上記スイッチを押圧する突起部により構成されることを特徴とする請求項１〜４の何れか１項に記載の照明装置。
【請求項６】
上記回転軸の近傍位置で上記回転軸と平行に、上記光源に電力を供給する電源ケーブルの先端にあるプラグが挿入されるジャックを設けたことを特徴とする請求項２に記載の照明装置。
【請求項７】
上記光源は、ＬＥＤと、当該ＬＥＤからの光を透過させる対物単レンズと、上記対物単レンズを保持する鏡筒とを備えて構成されることを特徴とする請求項１〜６の何れか１項に記載の照明装置。
【請求項８】
請求項１〜７の何れか１項に記載の照明装置と、
上記照明装置が装着されるフレーム部と、
上記フレーム部に取り付けられた鼻パッド部と、
上記フレーム部に対して折り畳み可能に取り付けられたツル部とを備えたことを特徴とする頭部装着具。
【請求項９】
上記フレーム部または上記照明装置に取り付けられた双眼ルーペを更に備えたことを特徴とする請求項８に記載の頭部装着具。
【考案の詳細な説明】
【技術分野】
【０００１】
本考案は、照明装置およびこれを用いた頭部装着具に関し、特に、光源をオン／オフするスイッチ機構と光源部の可動機構とを備えた照明装置に用いて好適なものである。
【背景技術】
【０００２】
医師が診療あるいは手術等の医療行為を行うときに、観察や施術を行う対象部の視認性を向上させるために、ヘッドライトを着用するのが一般的である。ヘッドライトは、ＬＥＤ等を含む光源と、当該光源が装着された眼鏡フレームまたはヘッドバンドとを含んで構成される。光源には電源ケーブルが接続され、当該電源ケーブルまたは光源に設けられた電源スイッチを医師が操作することによって、光源をオン／オフするようになっている。
【０００３】
ヘッドライトを使用した医療行為の途中で、光源のオン／オフを切り替えることが必要となる場合がある。例えば、体内の外科手術や口腔内の歯科治療を行う際に、影になって視認しにくい患部を観察または処置するときには光源をオンとし、患部以外の影にならない場所を観察または処置するとき、あるいは手元のカルテやディスプレイに表示された患部撮影画像を観察するときなどには光源をオフとするといった場合である。このような場合、医師は光源の電源スイッチを手で操作することが必要となる。
【０００４】
なお、従来、スイッチの操作を行わずに光源をオン／オフできるようにしたヘッドライトが知られている（例えば、特許文献１，２参照）。特許文献１に記載のヘッドライトは、電気ケーブルを介して光源に接続された電源・制御ユニットに赤外線モーションセンサを備え、赤外線モーションセンサによる手または他の身体部分の検出に応じて、電源・制御ユニット内の電気回路が光源をオン／オフするように構成されている。
【０００５】
また、特許文献２に記載の光源付ヘッドルーペは、前方を照明する発光部と、ヘッドルーペが基準角度に対して仰角側の角度となっているか否かを検出する検出手段と、使用者の操作に応じて発光部を発光および消光させる作動手段とを備え、ヘッドルーペが基準角度に対して仰角側の角度であることが検出された場合には、作動手段の動作に関わらず、発光部を消光させるように構成されている。
【０００６】
ところで、光源をオンにする際は、医師が狭い場所を観察または処置することが多い。一方、光源をオフにする際は、医師が比較的広い範囲を観察または処置することが多い。そのため、光源をオフにして比較的広い範囲を観察しているときは、光源の機構が医師の視界に入って邪魔とならないように、光源の機構を視界から退避させることができるようにすることが望まれる。例えば、特許文献３に記載の眼鏡着脱式ライトのように、光源装置による光の照射方向に垂直となる回転軸を中心に光源装置を回動する回動機構を設けることが考えられる。
【先行技術文献】
【特許文献】
【０００７】
【特許文献１】特表２０１６−５２７６７３号公報
【特許文献２】特開２００７−２５０５１４号公報
【特許文献３】実用新案登録第３１７１５２７号公報
【考案の概要】
【考案が解決しようとする課題】
【０００８】
しかしながら、上記のような回動機構を設けた場合、医師は、光源をオフにするためのスイッチ操作と、光源装置を回動させるための操作とを行わなければならず、手間がかかるという問題があった。
【０００９】
本考案は、このような問題を解決するために成されたものであり、光源をオフにして照明装置を視界から退避させる際に行うべき操作を簡便にできるようにすることを目的とする。
【課題を解決するための手段】
【００１０】
上記した課題を解決するために、本考案の照明装置は、光源を保持する筐体を可動状態にて支持する支持機構を備える。そして、筐体は、物理的な変位によって光源による照明をオン／オフするスイッチを備え、支持機構は、筐体の動きに応じてスイッチを変位させる操作部を備えている。
【考案の効果】
【００１１】
上記のように構成した本考案によれば、操作者は、筐体を動かすことによって、照明装置を操作者の視界から退避させることができる。このとき、筐体の動きに応じて、操作部がスイッチを変位させることにより、光源による照明をオフとすることができる。これにより、光源をオフにして照明装置を視界から退避させる際に、操作者は筐体を動かす操作だけをすればよく、スイッチを操作する必要はないので、操作者が行うべき操作を簡便にすることができる。
【図面の簡単な説明】
【００１２】
【図１】本実施形態による照明装置の構成例を示す図であり、ＬＥＤ点灯時の状態を示す図である。
【図２】本実施形態による照明装置の構成例を示す図であり、ＬＥＤ消灯時の状態を示す図である。
【図３】本実施形態の照明装置を用いて構成したヘッドライトの構成例を示す図である。
【図４】本実施形態の照明装置を用いて構成したヘッドルーペの構成例を示す図である。
【図５】ジャックの設置位置の変形例を示す図である。
【考案を実施するための形態】
【００１３】
以下、本考案の一実施形態を図面に基づいて説明する。図１および図２は、本実施形態による照明装置１００の構成例を示す図であり、図１はＬＥＤ点灯時の状態、図２はＬＥＤ消灯時の状態をそれぞれ示している。また、図１および図２のそれぞれにおいて、(ａ)は正面図、(ｂ)は側面図、（ｃ）は斜視図を示している。また、図２（ｄ）は、消灯時における筐体２０の上面（図２（ｂ）の状態において筐体２０を図の右方向から見た構成）を示す図である。
【００１４】
図１および図２に示すように、本実施形態の照明装置１００は、前方を照明する光源１０と、光源１０を保持する筐体２０と、筐体２０を可動状態にて支持する支持機構３０と、本実施形態の照明装置１００を製品（例えば、ヘッドライトやヘッドルーペ等の頭部装着具）に取り付けるための取付機構４０とを備えて構成されている。
【００１５】
光源１０は、ＬＥＤ（図示せず）と、当該ＬＥＤからの光を透過させる対物単レンズ１１と、対物単レンズ１１を保持する鏡筒１２とを備えて構成される。ＬＥＤは、対物単レンズ１１よりも筐体２０側（背面側）における鏡筒１２内に保持するようにしてもよいし、筐体２０内に保持するようにしてもよい。ＬＥＤの照射方向は、対物単レンズ１１側、つまり照明装置１００の正面（前方）側となっている。
【００１６】
本実施形態では、対物レンズを１枚のみ設けた単レンズ構成としている。これにより、鏡筒１２の高さを低く構成することができるとともに、鏡筒１２の重さを軽く構成することができる。鏡筒１２の高さを低くすることにより、例えば照明装置１００を頭部装着具に適用した場合に、頭部装着具を頭部に装着したユーザの視界が鏡筒１２により遮られる不都合を抑制することができる。また、鏡筒１２の重さを軽くすることにより、頭部装着具を頭部に装着したときの使用感を良好にすることができることに加え、図２のように筐体２０を回動させた状態を維持しやすくすることができる（これについての詳細は後述する）。
【００１７】
筐体２０は、物理的な変位によって光源１０（ＬＥＤ）による照明をオン／オフするスイッチ２１と、光源１０（ＬＥＤ）に電力を供給する電源ケーブル（図示せず）の先端にあるプラグが挿入されるジャック２２とを備えている。本実施形態において、ジャック２２は、筐体２０の側面で、長手方向のほぼ中央位置に設けられている。なお、筐体２０の内部には、電源ケーブルから供給される電源を得てＬＥＤを駆動するための駆動回路（図示せず）が設けられている。
【００１８】
スイッチ２１は、筐体２０の上方端部寄りの位置に設けられている。これは、筐体２０の中で回転軸３１の軸受（後述する）に比較的近い位置である。ここで、比較的近いというのは、軸受が設けられる位置と同じ筐体２０の上方端部寄りの位置に設けられるという意味である。図２（ｄ）に示すように、スイッチ２１は、筐体２０の外周面よりやや内側の位置に設けられており、スイッチ２１が存在する部分の筐体２０の外周面は開口となっている。
【００１９】
スイッチ２１は、可撓性を有する導電部材により構成されており、図２（ｄ）は外部から力が加えられていないときの定常状態を示している。この定常状態において、スイッチ２１はオフとなっており、駆動回路から電気的に切り離されている。これにより、ＬＥＤが消灯する。
【００２０】
支持機構３０は、光源１０による照射方向に垂直な方向（左右方向）に設けられた回転軸３１を備え、当該回転軸３１を中心として筐体２０を回動可能に支持している。支持機構３０は、筐体２０の上方側を両側面から挟むように支持している。このため、筐体２０は、上方端部かつ前方端部に近い位置に軸受（図示せず）を有している。このような構成により、図１のように光源１０がほぼ正面方向を向いた状態と、図２のように光源１０がほぼ上方を向いた状態との間で、筐体２０をその上方端部かつ前方端部に近い位置の回転軸３１を中心として約９０度、双方向に回動させることができるようになっている。
【００２１】
支持機構３０は、筐体２０の両側面から筐体２０を圧する状態で挟持している。例えば、支持機構３０を若干の形状変形が可能な樹脂により構成し、両側の支持機構３０の内側の間隔（左側の支持機構３０の内側面から右側の支持機構３０の内側面までの距離）が、筐体２０の横幅よりも若干狭くなるよう構成することにより、一定値以上の挟持力を確保することができるようにしている。これにより、図１に示す状態と図２に示す状態との間の任意の角度に筐体２０を回動させて、その状態で筐体２０を維持することができるようになっている。
【００２２】
上述したように、本実施形態では、対物単レンズ１１を用いることによって鏡筒１２を軽量化しているので、支持機構３０による挟持力のみをもって、筐体２０を上方に任意の角度まで回動させた状態で維持しやすくすることができる。すなわち、筐体２０を上方に任意の角度まで回動させたときに、鏡筒１２の重みで筐体２０が下方に落ちてきてしまうことを抑制することができる。
【００２３】
なお、支持機構３０に対して回転軸３１と平行にネジ機構を設け、両側の支持機構３０の間隔を調整可能に構成してもよい。このようにすれば、ネジ機構の操作によって両側の支持機構３０の間隔を調整することにより、筐体２０に対する挟持力を調整することが可能できる。また、例えば筐体２０の軸受付近に、側方側に突出する凸部を設けるとともに、筐体２０が回動したときに凸部が移動する支持機構３０の内側面の軌道上に１つまたは複数の凹部を設けるようにしてもよい。このようにすれば、凸部が凹部に嵌合する位置において、筐体２０の回動角度をより維持しやすくすることができる。
【００２４】
また、支持機構３０は、筐体２０の動きに応じてスイッチ２１を変位させる操作部３２を備えている。操作部３２は、筐体２０が図１に示すポジション（光源１０がほぼ正面方向を向いた状態のポジション）にあるときにスイッチ２１を押圧する略Ｌ字状の突起部により構成されている。スイッチ２１が操作部３２により押圧されると、スイッチ２１はオンとなり、駆動回路に対して電気的に接続される。これにより、ＬＥＤが点灯する。
【００２５】
図３は、上記のように構成した本実施形態の照明装置１００を用いて構成したヘッドライトの構成例を示す図である。図３に示すように、ヘッドライトは、本実施形態の照明装置１００と、当該照明装置１００が取付機構４０を介して装着されるフレーム部２０１と、フレーム部２０１に取り付けられた鼻パッド部２０２と、フレーム部２０１に対して折り畳み可能に取り付けられたツル部２０３とを備えて構成される。
【００２６】
なお、図３に示すヘッドライトは、ツル部２０３の長さが短い構成になっている。これは、ヘッドライトを使用するユーザの頭部の形状に合わせて、あるいはユーザに好みに応じて、別途用意された標準的長さの各種ツル部（図示せず）を着脱可能にしているためである。もちろん、ツル部を着脱可能に構成せず、標準的長さのツル部をフレーム部２０１に対して折り畳み可能に取り付ける構成としてもよい。
【００２７】
図４は、本実施形態の照明装置１００を用いて構成したヘッドルーペの構成例を示す図であり、図３に示した構成要素と同一の構成要素には同一の符号を付している。図４に示すヘッドルーペは、図３に示したヘッドライトの構成に対して、双眼ルーペ３０１を更に備えた構成となっている。図４に示す例において、双眼ルーペ３０１は、照明装置１００の支持機構３０に取り付けられているが、照明装置１００の他の箇所（例えば、取付機構４０）に取り付けるようにしてもよい。あるいは、フレーム部２０１に双眼ルーペ３０１を取り付ける構成としてもよい。
【００２８】
以上詳しく説明したように、本実施形態の照明装置１００は、光源１０を保持する筐体２０を可動状態にて支持する支持機構３０を備える。そして、筐体２０は、物理的な変位によって光源１０（ＬＥＤ）による照明をオン／オフするスイッチ２１を備え、支持機構３０は、筐体２０の動きに応じてスイッチ２１を変位させる操作部３２を備えている。
【００２９】
このように構成した本実施形態によれば、図３あるいは図４のように照明装置１００を用いて頭部装着具を構成した場合に、ユーザは、筐体２０を図１の状態に回動させることによって、操作部３２がスイッチ２１を押下する状態とすることにより、光源１０（ＬＥＤ）による照明をオンとすることができる。例えば、体内の外科手術や口腔内の歯科治療を行う際に、影になって視認しにくい患部を観察または処置するときに、筐体２０を図１の状態に回動させることによって光源１０をオンとし、患部を視認しやすくすることができる。
【００３０】
一方、ユーザは、患部以外の影にならない場所を観察または処置するとき、あるいは手元のカルテやディスプレイに表示された患部撮影画像を観察するときなどには、筐体２０を図２の状態に回動させることによって、照明装置１００をユーザの視界から退避させることができる。このとき、筐体２０の動きに応じて、操作部３２がスイッチ２１から離れることによってスイッチ２１を定常状態（押下されていない状態）に変位させ、光源１０（ＬＥＤ）による照明をオフとすることができる。
【００３１】
以上のように、光源１０をオンにするときも、光源１０をオフにして照明装置１００を視界から退避させるときも、ユーザは筐体２０を動かす操作だけをすればよく、スイッチ２１を操作する必要はないので、ユーザが行うべき操作を簡便にすることができる。すなわち、本実施形態によれば、光源１０をオフにして照明装置１００を視界から退避させる際に行うべきユーザの操作を簡便にすることができる。
【００３２】
なお、上記実施形態では、筐体２０の側面で、長手方向のほぼ中央位置にジャック２２を設ける例について説明したが、本考案はこれに限定されない。例えば、図５に示すように、回転軸３１の近傍位置で回転軸３１と平行にジャック２２を設けるようにしてもよい。このようにすれば、ジャック２２にプラグが挿入された電源ケーブルが、筐体２０を回動させてもそれに連れてほとんど回転しないので、電源ケーブルの捩れなどによる負荷増大を抑止し、耐久性を上げることができる。
【００３３】
また、上記実施形態において示したスイッチ２１と操作部３２の位置および形状は一例であって、これに限定されるものではない。例えば、スイッチ２１は、筐体２０の下方端部かつ後方端部に近い位置に設けるようにしてもよい。この場合、操作部３２は、支持機構３０から筐体２０の外面に沿ってスイッチ２１のある位置まで延伸するような形状となる。この場合、筐体２０を上方に回動させてユーザの視界から退避させても、操作部３２だけは視界に残ることとなる。これに対し、上記実施形態のように、筐体２０の中で回転軸３１の軸受に比較的近い位置にスイッチ２１を設けるようにすれば、筐体２０を上方に回動させてユーザの視界から退避させたときに、操作部３２もユーザの視界に入ることは殆どなく、操作部３２によって視界を妨げられることがないという点で好ましい。
【００３４】
また、上記実施形態では、筐体２０が図１のようなポジションにあるときに操作部３２がスイッチ２１を押下して光源１０をオンとする例について説明したが、操作部３２がスイッチ２１を押下するときの筐体２０のポジションは、図１に示すような角度のポジションに限定されない。すなわち、筐体２０が正面方向から任意の角度だけ外れたポジションにあるときに操作部３２がスイッチ２１を押下するように構成してもよい。
【００３５】
また、上記実施形態では、筐体２０の動きとして回動を例に挙げて説明したが、本考案はこれに限定されない。例えば、光源１０による照射方向に垂直または平行な軸に沿って上下方向、左右方向あるいは前後方向に筐体２０を平行移動させることができるように支持機構を構成してもよい。例えば、上下方向に筐体２０を平行移動させる場合、筐体２０の底面にスイッチ２１を設けるとともに、筐体２０を最下部まで移動させたときにスイッチ２１を押圧する位置に操作部３２を設けるといった構成とすることができる。
【００３６】
その他、上記各実施形態は、何れも本考案を実施するにあたっての具体化の一例を示したものに過ぎず、これらによって本考案の技術的範囲が限定的に解釈されてはならないものである。すなわち、本考案はその要旨、またはその主要な特徴から逸脱することなく、様々な形で実施することができる。
【符号の説明】
【００３７】
１０  光源
１１  対物単レンズ
１２  鏡筒
２０  筐体
２１  スイッチ
２２  ジャック
３０  支持機構
３１  回転軸
３２  操作部
４０  取付機構
１００  照明装置
２０１  フレーム部
２０２  ツル部
３０１  双眼ルーペ
【図１】
0003214601.tif 000003
【図２】
0003214601.tif 000004
【図３】
0003214601.tif 000005
【図４】
0003214601.tif 000006
【図５】
0003214601.tif 000007